(57)【特許請求の範囲】
【請求項１】
長尺の木材に、該木材の長手方向両端面から両端側を突出した状態で連結ロッドを挿通してなるパネル組成材と、前記連結ロッドを介して該パネル組成材の両端面に取着することにより、少なくとも一対のパネル組成材を連結して土留めパネルを構成する一対の板状連結具と、前記連結ロッドを介してパネル組成材の両端側に着脱可能に取着され、前記土留めパネルを直線方向或は屈折方向に連結する環状連結具とから構成してなる木製土留め体であって、前記木材には長手方向に直交する方向に縦貫通穴を形成し、パネル状に列設した複数のパネル組成材の貫通穴に締結ロッドを一体に挿通するようにしたことを特徴とする木製土留め体。
【請求項２】
前記環状連結具は、円形、四角形又は三角形のいずれかの環状体に形成した環状基体と、該環状基体の周方向に離間して形成した複数の連結穴とから構成してあることを特徴とする請求項１記載の木製土留め体。
【請求項３】
前記複数の連結穴の１以上は周方向に長軸の長穴に形成してあることを特徴とする請求項２記載の木製土留め体。
【発明の詳細な説明】
【０００１】
【発明の属する技術分野】
本発明は、傾斜面や掘削地盤に設置する土留め体に関し、現場での設置作業が容易であるし、強度性にも優れている木製土留め体に関する。
【０００２】
【従来の技術】
従来、傾斜面の土留めに用いている木製土留め体を図１２及び図１３に示す。図１２に示す土留め体５１は、複数本の間伐材等の木材５２、５２、・・の長手方向に離間して径方向に一対のロッド挿通穴を穿設し、該各ロッド挿通穴に棒鋼５３を一体に挿通して略パネル状に構成したものである。また、図１３に示す土留め体５６は、木材５７の長手方向両端側に径方向の貫通穴を形成し、該貫通穴を同一軸芯状にして複数本の木材５７の両端側を段違いに重ね、これら木材５７、５７、・・に棒鋼５８を一体に挿通することにより枠体状に構成したものである。
【０００３】
【発明が解決しようとする課題】
上述したいずれの木製土留め体５１（５６）も、現場で丸太組作業を行うために日数がかかるという欠点がある。また、複数本の木材５２（５７）、５２（５７）、・・・を棒鋼５３（５８）で連結した構成であるため、木材５２（５７）が腐朽するのに伴って強度性がなくなり、棒鋼５３（５８）が分離して土留め体５１（５６）が崩壊してしまうという構造上の欠点がある。そして、木材５２（５７）は約４〜７年で腐朽が進行することから、草木が確実に定着する前に土留め体５１、５６が崩壊してしまうことになる。また、土留め体５１（５６）は腐朽により経年劣化して強度性が失われるという欠点があることから、設置場所も勾配の緩やかな場所に限定されるし、崩壊しても危険性がない場所に限られるという欠点がある。更に、経年劣化により崩壊するために、耐久性を維持するための維持管理費が嵩むという欠点がある。
【０００４】
本発明は上述した従来技術の諸欠点に鑑みなされたもので、工場で予めパネル化してあると共に連結具は端面から突出した状態にあるので現場での組み付け作業が容易であるし、直線状にも屈折状にも連結することができるので地形に対応した形態に設置することができることから土留め効果に優れているし、強度性にも優れている木製土留め体を提供することを目的とする。
【０００５】
【課題を解決するための手段】
上述した課題を解決するために構成された本発明の手段は、長尺の木材に、該木材の長手方向両端面から両端側を突出した状態で連結ロッドを挿通してなるパネル組成材と、前記連結ロッドを介して該パネル組成材の両端面に取着することにより、少なくとも一対のパネル組成材を連結して土留めパネルを構成する一対の板状連結具と、前記連結ロッドを介してパネル組成材の両端側に着脱可能に取着され、前記土留めパネルを直線方向或は屈折方向に連結する環状連結具とから構成してなる木製土留め体であって、前記木材には長手方向に直交する方向に縦貫通穴を形成し、パネル状に列設した複数のパネル組成材の縦貫通穴に締結ロッドを一体に挿通するようにしたことにある。
【０００６】
また、前記環状連結具は、円形、四角形又は三角形のいずれかの環状体に形成した環状基体と、該環状基体の周方向に離間して形成した連結穴とから構成するとよい。
【０００７】
更に、前記環状連結具の連結穴の１以上は周方向に長軸の長穴に形成しておくとよい。
【０００８】
【発明の実施の形態】
以下、本発明の実施の形態を図面に基づき詳述する。図において、１は木製土留め体Ａを構成する土留めパネルである。２、２、２は該土留めパネル１を構成する３本のパネル組成材を示す。３は該各パネル組成材２を構成する間伐材等で形成した長尺の木材で、該木材３には後述する連結ロッド４が遊挿可能な穴径からなる横貫通穴３Ａが略中心に位置して長手方向に穿設してあり、また長手方向に離間して前記横貫通穴３Ａと直交する方向に一対の縦貫通穴３Ｂ、３Ｂが穿設してある。
【０００９】
４は前記木材３より長尺に設定し、両端側にナット５を螺合する雄ねじ部４Ａ、４Ａを刻設した棒鋼からなる連結ロッドで、該連結ロッド４は雄ねじ部４Ａ、４Ａを木材３の端面３Ｃ、３Ｃから突出した状態で横貫通穴３Ａに挿通してあり、パネル組成材２は木材３と連結ロッド４とから構成してある。
【００１０】
６、６は上述の構成からなる３本のパネル組成材２、２、２を連結して土留めパネル１を形成するための一対の板状連結具で、該各板状連結具６は図４に示すように鋼板からなる板状基体６Ａと、該板状基体６Ａの長手方向に離間して形成され、前記連結ロッド４が挿通される３個の連結穴６Ｂ、６Ｃ、６Ｄとから構成してある。
【００１１】
７、７は板状連結具６、６で連結した３本のパネル組成材２、２、２をパネル状に更に一体化するための一対の締結ロッドで、各締結ロッド７は両端側に雄ねじ部（図示せず。）を刻設した棒鋼からなっている。そして、各締結ロッド７はパネル状に列設した３本のパネル組成材２、２、２の縦貫通穴３Ｂ、３Ｂ、３Ｂに一体に挿通し、両端側の雄ねじ部にナット８を締着することにより、土留めパネル１の一体化を図っている。
【００１２】
また、９、９は上述の如く形成した土留めパネル１を平面状に列設し、或は略Ｌ字状の屈折方向に連結するための環状連結具で、該各環状連結具９は図５に示すように、金属板を円形に形成した環状基体９Ａと、該環状基体９Ａに周方向に９０度ずつ離間して十字方向に形成した４個の連結穴９Ｂ、９Ｃ、９Ｄ、９Ｅとから構成してある。そして、該各連結穴９Ｂ（９Ｃ、９Ｄ、９Ｅ）に連結ロッド４の雄ねじ部４Ａを挿入してナット５を締着することにより、環状連結具９はパネル組成材２に着脱可能に取着してある。
【００１３】
本実施の形態における土留めパネル１は上述の構成からなるが、次にその設置工法について説明する。土留めパネル１及び土留めパネル１を構成する各パネル組成材２は予め工場内で製作することにより作業全体の効率化を図ることができる。即ち、間伐材を切削して形成した角材の木材３に横貫通穴３Ａ及び縦貫通穴３Ｂ、３Ｂを穿設し、連結ロッド４を横貫通穴３Ａに挿通してパネル組成材２を構成する。そして、３本のパネル組成材２、２、２を列設し、各木材３の両端面３Ｃから突出する連結ロッド４の雄ねじ部４Ａに板状連結具６を嵌合してナット５、５、５を締着することにより、パネル組成材２、２、２は板状連結具６、６によりパネル状に連結した形状になる。また、列設したパネル組成材２、２、２の一対の縦貫通穴３Ｂ、３Ｂ、３Ｂに締結ロッド７、７を挿通し、両端側にナット８、８を締着して縦横方向に締め付けることにより更に一体化して強度性に優れた土留めパネル１に構成することができる。
【００１４】
上述の如くして形成した複数枚の土留めパネル１、１、・・は現場に搬送し、設置場所の地形に応じた形態に連結する。例えば、図１に示すように２枚の土留めパネル１、１を直線状に連結した木製土留め体Ａを構成する場合は、環状連結具９、９、９の対向する連結穴９Ｂ、９Ｄに各パネル組成材２、２の連結ロッド４、４を挿入してナット５を締着することにより、複数枚の土留めパネル１を容易に連結することができる。
【００１５】
また、図６に示すように四角形の上下が開放した枠体状の土留め体Ｂを構成する場合は、４枚の土留めパネル１、１、・・の四隅を環状連結具９、９、・・により連結すればよい。また、当該環状連結具９、９、９に他の土留め体Ａ、Ｂを横方向及び／又は縦方向に連結してもよい。
【００１６】
図７は木製土留め体Ａ、Ｂの設置例を示し、直線状の形態に構成した木製土留め体Ａ、Ａは傾斜面Ｃの途中に略下半分を埋設した状態で設置してあり、枠体状土留め体Ｂは傾斜面Ｃの切削段部Ｄに設置してある。図８は枠体状土留め体Ｂ、Ｂを傾斜面Ｃに略下半分を埋設した状態で設置した例である。そして、枠体状土留め体Ｂの内部には土砂を投入し、草木を植設することにより緑化を図ることができる。このようにして、木製土留め体Ａ、Ｂは傾斜地や切削地で土留め機能を果たすことができる。
【００１７】
上述のように設置した木製土留め体Ａ、Ｂは４年を経過すると木材３、３、・・は次第に腐朽し始めて各連結ロッド４及び締結ロッド７が部分的に露出した状態になるが、各連結ロッド４は板状連結具６によって、また環状連結具９によって互いに連結されており、締結ロッド７は傾斜面Ｃの土圧によって連結ロッド４側に押し付けられて格子状をなしているから、木製土留め体Ａ、Ｂはその形態を保持して土留め機能を維持することができる。
【００１８】
しかも、設置から約１０年を経過して土砂も締まり草木も地盤に十分に定着するまでの間、各連結ロッド４は板状連結具６により、また環状連結具９により連結されて骨組みの形態を保持しているから土砂や草木が流出するのを防止することができる。
【００１９】
なお、本実施の形態では連結ロッド４と締結ロッド７は十字状に重ねて配置したが、連結ロッドに太径のものを用いて径方向に挿通穴を穿設し、該挿通穴に締結ロッド７を挿通する構成にしてもよい。これにより、連結ロッドと締結ロッド７は係合した格子を構成するので、強度性を飛躍的に高くすることができる。
【００２０】
また、図９は変形例に係る環状連結具１１を示し、該環状連結具１１は四角形に形成した帯板からなる環状基体１１Ａと、該環状基体１１Ａの４片に形成した連結穴１１Ｂ、１１Ｃ、１１Ｄ、１１Ｅとから構成してあり、円形の環状連結具９と同様に用いることができる。また、図１０は三角形の環状連結具１２で、該環状連結具１２は三角形に形成した帯板からなる環状基体１２Ａと、該環状基体１２Ａの３片に形成した連結穴１３Ｂ、１２Ｃ、１２Ｄとから構成してある。そして、これら円形、四角形及び三角形の環状連結具９、１１、１２を用いることにより、種々の形状の木製土留め体Ａ、Ｂを構成することができる。
【００２１】
更に、図１１は他の変形例に係る環状連結具１３を示し、該環状連結具１３は円形に形成した帯板からなる環状基体１３Ａと、該環状基体１３Ａに周方向に離間して十字方向に形成した４個の連結穴１３Ｂ、１３Ｃ、１３Ｄ、１３Ｅとから構成し、かつ対向する一対の連結穴１３Ｃ、１３Ｅは周方向に長軸の長穴に形成したことを特徴とする。１以上の連結穴１３Ｂ（１３Ｃ、１３Ｄ、１３Ｅ）をこのように長穴に形成することにより、土留めパネル１、１、・・・を直線方向と直角方向だけでなく、長穴の長軸寸法に応じて例えば９０〜１２０度の任意の範囲で傾斜した状態に連結することが可能であり、地形に応じた形態の木製土留め体Ａ、Ｂに構成することができる。
【００２２】
また、本実施の形態において、隣接する木材３、３の一方又は両方を切削することにより土留めパネル１に１以上の凹部を形成し、該凹部に草木の種子、肥料等を充填した植生基材袋を挟装する構成にしてもよい。また、パネル組成材２の木材３、３間に木片を介装して任意の幅の空隙を形成し、該空隙に植生基材袋を挟装したり、虫や鳥を棲息させるようにしてもよい。
【００２３】
【発明の効果】
本発明は以上詳述した如く構成したから、下記の諸効果を奏する。
（１）土留めパネルを構成するパネル組成材の木材には長手方向に直交する
方向に縦貫通穴を形成し、パネル状に列設した複数のパネル組成材の縦貫通穴に締結ロッドを一体に挿通するようにしたから、パネル組成材が強固に締結して一体化した土留めパネルにすることができる。
（２）土留めパネルは工場で予め製造し、現場では連結する形態に応じて土留めパネルの端部に環状連結具を取着することにより、現場での連結作業を容易に、短時間で行なうことができる。
（３）土留めパネルは環状連結具で連結することにより直線状にも屈折状にも連結することができるように構成してあるから、地形に対応した形態に設置することが可能であって優れた土留め効果を発揮することができる。
（４）土留めパネルを構成する複数本の連結ロッドは板状連結具で連結された骨組み構造をなしているから、木材が腐朽しても形状を保持して土砂や草木の流出を確実に防止することができる。
（５）木製土留め体は複数本の連結ロッドを板状連結具及び環状連結具で連結した構成にすることにより強度性に優れているから、傾斜が厳しい場所にも設置することができるし、木材が腐朽し始めても強度性を維持しているから保守管理の面倒がなく維持費を節減することができる。
（６）環状連結具の連結穴の１以上は周方向に長軸の長穴に形成することにより、土留めパネルを直線方向と直角方向だけでなく、長穴の長軸寸法に応じて例えば９０〜１２０度の任意の範囲で傾斜した状態に連結することが可能であり、地形に応じた形態の木製土留め体に構成することができる。
【図面の簡単な説明】
【図１】  図１乃至図１１は本発明の実施の形態に係り、図１はパネル状土留め体の外観斜視図である。
【図２】  パネル組成材を一部を破断にして示す斜視図である。
【図３】  土留めパネルを一部を破断にして示す斜視図である。
【図４】  板状連結具の斜視図である。
【図５】  環状連結具の斜視図である。
【図６】  枠体状土留め体の外観斜視図である。
【図７】  パネル状土留め体と枠体状土留め体を傾斜地に設置した状態を示す説明図である。
【図８】  枠体状土留め体を傾斜地に設置した状態を示す説明図である。
【図９】  変形例に係る四角形の環状連結具の斜視図である。
【図１０】  変形例に係る三角形の環状連結具の斜視図である。
【図１１】  他の変形例に係る環状連結具の斜視図である。
【図１２】  図１２及び図１３は従来技術に係り、図１２はパネル状に構成した土留め体の部分正面図である。
【図１３】  枠体状に構成した土留め体の部分正面図である。
【符号の説明】
２        パネル組成材
３        木材
３Ａ      横貫通穴
３Ｂ      縦貫通穴
３Ｃ      端面
４        連結ロッド
６        板状連結具
７        締結ロッド
９、１１、１２、１３        環状連結具
Ａ、Ｂ    木製土留め体
【図１】
0003670251.tif 000002
【図２】
0003670251.tif 000003
【図３】
0003670251.tif 000004
【図４】
0003670251.tif 000005
【図５】
0003670251.tif 000006
【図６】
0003670251.tif 000007
【図７】
0003670251.tif 000008
【図８】
0003670251.tif 000009
【図９】
0003670251.tif 000010
【図１０】
0003670251.tif 000011
【図１１】
0003670251.tif 000012
【図１２】
0003670251.tif 000013
【図１３】
0003670251.tif 000014